(57)【要約】      （修正有）【課題】透明または収容物の一部に窓が設けられ、簡単な構造で収容物の商標や意匠を隠蔽することなく、収容物の回転を防ぐ回り止め部材を提供する。【解決手段】立面１４、斜面１３ａ、１３ｂ、底面１２からなり、立面１４と斜面１３ａ、１３ｂは、１対、または底面１２をはさんで向かい合う２対で、該立面１４と斜面１３ａ、１３ｂはいずれの１対も一本の線からなる山折り部１８で区切られ、該斜面１３ａ、１３ｂと底面１２は両端２箇所が山折り部１８と平行に設けられた谷折り部１９ａ、１９ｂで繋がり、中央が谷折り部１９ａ、１９ｂと収容物の外周が接する２箇所の点を結ぶ収容物の外周よりも立面１４寄りにある切り込み１７で切断されており、該山折り部１８と谷折り部１９ａ、１９ｂをそれぞれ折り込んで、該斜面１３ａ、１３ｂにできる切り込み１７の内側が収容物の外周と接する構造にした回り止め部材を提供する。【選択図】図１
2007297134.tif 000002
【特許請求の範囲】
【請求項１】
透明または収容物の一部が見えるように窓が設けられた、包装用箱の底に敷いて使用する形態の、収容物と包装用箱の間に設けられるシート状の部材で、立面、斜面および底面からなり、立面と斜面は底面の延長にある１対、または底面をはさんで向かい合う２対で、該立面と斜面はいずれの１対も一本の線からなる山折り部で区切られ、該斜面と底面は両端２箇所が山折り部と平行に設けられた谷折り部で繋がり、中央が谷折り部と収容物の外周が接する２箇所の点を結ぶ収容物の外周よりも立面寄りにある切り込みで切断されており、該山折り部と谷折り部をそれぞれ折り込んで立面と斜面を形成するとき、該斜面にできる切り込みの内側が収容物の外周と接する構造を持つことを特徴とする回り止め部材。
【請求項２】
１対の立面と斜面に対し底面をはさんで向かい合う位置に、または向かい合う２対の立面と斜面に対し側方の位置に、底面から谷折り部を介して延長される背面を有する請求項１に記載の回り止め部材。
【請求項３】
背面が包装用箱と該包装用箱の天蓋の間から上方に抜き出ている形状を有する請求項２に記載の回り止め部材。
【請求項４】
底面と平行に向かい合う位置に、背面からさらに谷折り部を介して延長される頭頂面と、該頭頂面から延長されるさらに１対または２対の立面と斜面を有し、該立面、斜面および頭頂面が、請求項１に記載の立面、斜面および底面と同様の構造を有する請求項２に記載の回り止め部材。
【請求項５】
収容物または少なくとも切り込みの内側が接する収容物の外周部分が円筒形である請求項１〜請求項４に記載の回り止め部材。
【請求項６】
切り込みの形状が半円弧状または多角形あるいはこれらを組み合わせたものである請求項１〜請求項５に記載の回り止め部材。
【請求項７】
包装用箱が立方体である請求項１〜請求項６に記載の回り止め部材。
【発明の詳細な説明】
【技術分野】
【０００１】  本発明はカップ等の収容物と包装用箱の間に設けられ、包装用箱に対する収容物の移動を防止する回り止め部材に関する。
【背景技術】
【０００２】  通常スキンクリームやヘアワックス等の固形〜半固形またはゲル状の化粧品はカップ等の円筒容器に充填され、さらに包装用箱に入れられ店頭の陳列棚等に並べられて市販されている。また、化粧水の様なローションや乳液も円筒状のボトル等に充填後、包装用箱に収容されている。このような包装用箱は商品である収容物の商標や意匠がよく見えるように透明なプラスチックシート製や窓が設けられている紙製のものが多用されている。【０００３】  従って製造時には収容物の方向を整えて包装用箱に収納されるが、輸送等流通過程において、振動等により軸回転を生じ、店頭に陳列するまでに意図しない方向を向くことが頻繁に発生し、商品価値を損ねている。【０００４】  そこで、両面テープ等の粘着剤を用い収容物の底面の一部を包装用箱に固定する方法が採られているが、材料および工程が増えるため製造コストが増加している。【０００５】  また、特許文献１では化粧水等のボトル状収容物の回り止め部材を提供しているが、カップ状収容物の場合、化粧水等のボトル状収容物とは異なり胴と蓋が同径であることが多く、また底面積に対して高さが低いので、幅広の帯状部材では回り止めの効果が芳しくないばかりか、肝心の商標や意匠を隠蔽してしまうので本末転倒である。【０００６】
【特許文献１】  特開２００３−２０５９３２号公報
【特許文献２】  実開平６−３００２６号公報
【特許文献３】  特開２００５−２０００４０号公報
【発明の開示】
【発明が解決しようとする課題】
【０００７】  本発明の課題は上記従来技術の問題点に鑑み、透明または収容物の−部が見えるように窓が設けられた包装用箱の底に敷いて使用する形態の、収容物と包装用箱の間に設けられるシート状の部材で、簡単な構造で収容物の商標や意匠を隠蔽することなく、包装用箱内での収容物の回転を防ぐ回り止め部材を提供することにある。
【課題を解決するための手段】
【０００８】  立面、斜面および底面からなり、立面と斜面は底面の延長にある１対、または底面をはさんで向かい合う２対で、該立面と斜面はいずれの１対も一本の線からなる山折り部で区切られ、該斜面と底面は両端２箇所が山折り部と平行に設けられた谷折り部で繋がり、中央が谷折り部と収容物の外周が接する２箇所の点を結ぶ収容物の外周よりも立面寄りにある切り込みで切断されており、該山折り部と谷折り部をそれぞれ折り込んで立面と斜面を形成するとき、該斜面にできる切り込みの内側が収容物の外周と接する構造を持つことを特徴とする回り止め部材を提供する。
【発明の効果】
【０００９】  本発明による回り止め部材は、簡単な構造で、収容物の商標や意匠を隠蔽することなく、包装用箱内での収容物の回転を防ぐ優れた回り止め部材である。
【発明を実施するための最良の形態】
【００１０】  以下、本発明の実施の形態を図１〜図２１に基づいて説明する。【００１１】  図２は透明のプラスチックシート製の包装用箱（以下、単に「箱」という。）１の斜視図で収容物を収納した後フラップ３ａおよび３ｂを閉じ、天蓋２を閉めて、通常手前側を正面に向けて商品棚等に陳列される。図３は窓６を設けた紙製の箱５で、さらに透明なプラスチックシートを窓６の内側から貼付したものの斜視図である。窓６は切り抜いただけのものでもよく、いずれも図２の箱１と同様に用いられる。【００１２】  図４および図５は従来の回り止め部材の展開図および斜視図で一枚の紙製またはプラスチック製のシートからなり、谷折り部１１（点線）を谷折りにして底面７と背面８として使用する。底面７には必要に応じて収容物の底面に印字された製造番号が見えるように孔９が設けられている。さらに底面７には収容物を固定するため両面テープ等の粘着剤１０が貼り付けられ、図６に示す斜視図のように箱１にセットして使用する。【００１３】  実施例１  図７は本発明による回り止め部材の第１の実施形態の展開図で、一枚の紙製またはプラスチック製のシートからなり、半円弧状の切り込み１７を有することを特徴とする回り止め部材の展開図で、底面１２、斜面１３ａおよび１３ｂ、立面１４、切り欠き部１５、孔１６、切り込み１７、山折り部１８（一点鎖線）および谷折り部１９ａ並びに１９ｂ（点線）から構成される。なお切り欠き部１５は、切り欠かずに底面１２との接線を谷折りにして立面１４の背後（斜面１３ａおよび１３ｂの下部）に収納しても良い。【００１４】  図８は図７の回り止め部材の完成後の斜視図で、見やすくするため立面１４を後方に向けてある。組み立て方法としては、まず谷折り部１９ａおよび１９ｂ（点線）を谷折りにして斜面１３ａ、１３ｂおよび立面１４を上方に持ち上げた後、山折り部１８（図７では一点鎖線）を山折りにして立面１４を垂直に立てることにより、収容物と接するための切り込み１７が斜めに立ち上がる。なお使用時における立面１４の方向は、前方および後方のいずれでも良く、図８のように後方にして陳列すれば収容物の前方の全面が可視となるので所望により選択できる。【００１５】  実施例２  図９は本発明による回り止め部材の第２の実施形態の展開図で、第１の実施形態の回り止め部材に、さらに図４に記載の従来の回り止め部材の背面８と同様に背面２０を設けたタイプで、谷折り部２１を谷折りにする以外は、第１の実施形態と同様に組み立てて使用する。図１に組み立て後の背面２０の後方からの斜視図を示す。なお、図１は見やすくするため背面２０の一部を破り捨てた状態にしてあり、図８に示す第１の実施形態の底面１２に背面２０を付け足した様子がよくわかる。さらに収容物との関係を示すため、使用時の状態をカップ状の収容物Ａ（二点鎖線）とともに図１０の平面図、正面図および側面図に示す。切り込み１７以外に背面２０も収容物と接するため、第１の実施形態よりもさらに回り止めの効果が向上していることがわかる。【００１６】  図１１は図１０に示す状態で図２の箱１に収納したときの斜視図で、収容物Ａがよく見えることがわかる。ここで立面１４にあらかじめ所望の内容を印刷等により表示しておけば、一般消費者に対する訴求効果も望めるのでより好ましい。なお、通常背面２０の裏面には主に法規制による事項等が表示される。【００１７】  実施例３  図１２は本発明による回り止め部材の第３の実施形態の展開図で、背面２０’は第２の実施形態の背面２０を上方に延長したタイプで、増えた面積を広告用のスペースとして利用できるので、一般消費者に対する訴求効果がより期待できる。さらに必要に応じて小孔２２を設けることによりフックにかけて陳列することも可能となるため、拡販しやすくなるのでより好ましい。【００１８】  実施例４  図１３は本発明による回り止め部材の第４の実施形態の展開図で、図１２の第３の実施形態のうち、切り込み１７を切り込み２３に、切り欠き部１５を切り欠き部２４に、小孔２２を切り欠き部２５に変更したものである。切り込み２３は収容物の形状に合わせて任意の形状にすることができるが、円筒形の収容物の場合は六角形以上の多角形を半分に切った形状が好ましい。結果としてそれぞれ底面１２’は第１〜第３の実施形態における底面１２に対して、また斜面１３ａ’および１３ｂ’は第１〜第３の実施形態における斜面１３ａおよび１３ｂに対して若干異なった形状となる。なお切り欠き部２５はフックの途中からでも懸架できるように小孔２２を改良したものである。【００１９】  図１４は本発明による第３の実施形態の回り止め部材とカップ状の収容物Ａを箱１に収納したときの斜視図である。あらかじめ背面２０’に広告等を表示しておけば、陳列の際のＰ．Ｏ．Ｐ．（Ｐｏｉｎｔ  Ｏｆ  Ｐｕｒｃｈａｓｅ  ＝購買時点、店頭）広告（いわゆる「ポップ」）を兼ねることができるので好ましい。【００２０】  実施例５  図１５は本発明による回り止め部材の第５の実施形態の展開図で、第１の実施形態の回り止め部材の立面１４、切り欠き部１５および切り込み１７と同じ形状のものを反対側にも設けたもので、それぞれ斜面１３ｃおよび１３ｄ、立面１４’、切り欠き部１５’、切り込み１７’、谷折り部１９ｃおよび１９ｄ（点線）および山折り部１８’（一点鎖線）をさらに有する。従って、底面２６は第１〜第３の実施形態における底面１２とは異なるものとなる。収容物との接触度合いが倍増するので回り止め効果がアップする。【００２１】  実施例６  図１６は本発明による回り止め部材の第６の実施形態の展開図で、第５の実施形態の回り止め部材に第２の実施形態の背面２０に準じた背面２７および谷折り部２８（点線）をさらに設けたもので、第５の実施形態よりもさらに収容物との接触度合いが増えるので、回り止め効果がアッップするほか、立面１４および１４’を左右方向に配置して背面２７を後方にすることにより、前方が斜面１３ｂおよび１３ｄの断面以外ほぼ全面が可視となるので好ましい。【００２２】  さらに本発明による回り止め部材は、カップ状の収容物Ａの他、例えば化粧水等のボトル状の収容物等も利用可能である。図１７は図１４同様、第２また第３の実施形態に示す回り止め部材をボトル状の収容物Ｂとともに背面２０’とほぼ同じ高さの塔状の箱１’に収納したものの斜視図で、可視範囲の広いことがわかる。この場合小孔２２は不要である。また、さらに箱１’の頭頂部にも同様の回り止め���止の効果を持たせるには、図１８に示す展開図のような構造にすれば良い。【００２３】  実施例７  図１８は本発明による回り止め部材の第７の実施形態の展開図で、第２または第３の実施形態における背面２０または２０’の上端となる部分にも図７に示す第１の実施形態と同様の構造を設けたもので、ボトル状の収容物の本体Ｂ１よりもボトル状の収容物のキャップＢ２の径が小さい場合、切り込み３０が切り込み１７より小さくなり、これに伴い斜面３１が斜面１３ａと１３ｂを合わせたものより大きくなり、谷折り部２９ａおよび２９ｂ（点線）は谷折り部１９ａおよび１９ｄ（点線）より長くなり、場合によっては図１８に示すように切り欠け部が消滅することもある。ここで二点鎖線はボトル状の収容物の本体Ｂ１の底面およびボトル状の収容物のキャップＢ２の天面を表す。なお、頭頂面３２は底面１２と平行となる。【００２４】  実施例８  図１９は本発明による回り止め部材の第８の実施形態の展開図で、第５の実施形態のように両側から収容物を押さえられるように図１８の頭頂面３２を加工したものと、第６の実施形態を組み合わせたもので、収容物の上部と下部に対し、それぞれ側方２箇所ずつの切り込みを有する。第７の実施形態に比べて背面２０’および２７’以外の収容物と接触する切り込みが２倍になるので、より強固な回り止めの効果があるが、組み立ての工程に要する時間も増えることになるので収容物に合わせた適切な選択が必要である。なお、第７および第８の実施形態における図１８および図１９に示す底面と頭頂面はそれぞれ入れ替え、組み合わせて使用することも可能である。【００２５】  実施例９  図２０は本発明による回り止め部材の第９の実施形態の展開図で、第２の実施形態である図９の展開図を基に、底面が正五角形の多角柱状の収容物Ｃに対応できるよう加工したもので、切り込み２３’は収容物Ｃ（二点鎖線）の外周に合わせた形状となっている。また、さらに透明のプラスチックシート製の円筒型の箱３３（二点鎖線）に収納したときの収容物Ｃと円筒型の箱３３との位置関係を示した。【００２６】  図２１は本発明による回り止め部材の第９の実施形態を、購入時に近い状況の前方やや上方より見たときの立体図である。このように本発明による回り止め部材は、収容物および箱の形状を選ぶことなく、あらゆる状況に対応できる優れたものである。【００２７】  本発明による回り止め部材は、切り込みの内側が収容物の外周を押さえることで回り止めの効果を発揮するため、その材質は適度な硬さを持ち、滑りにくくかつ収容物を傷つけるものであってはならない。従って紙製またはプラスチック製が好適で、さらに部材本体や所望の表示のための印刷に係るコスト等を勘案した場合，紙製がより好適で、特に見栄えのよい両面コートボール紙が最適である。
【図面の簡単な説明】
【００２８】
【図１】本発明の回り止め部材の使用方法を説明するための斜視図である。
【図２】本発明の回り止め部材を使用する包装用箱の−例を示す斜視図である。
【図３】本発明の回り止め部材を使用する包装用箱の一例を示す斜視図である。
【図４】従来の回り止め部材の一例を示す展開図である。
【図５】従来の回り止め部材の使用方法を説明するための斜視図である。
【図６】従来の回り止め部材の使用方法を説明するための斜視図である。
【図７】本発明の回り止め部材の一例を示す展開図である。
【図８】本発明の回り止め部材の使用方法を説明するための斜視図である。
【図９】本発明の回り止め部材の他の例を示す展開図である。
【図１０】本発明の回り止め部材の他の例の使用方法を説明するための平面図、正面図および側面図である。
【図１１】本発明の回り止め部材の他の例の使用方法を説明するための斜視図である。
【図１２】本発明の回り止め部材のさらに他の例を示す展開図である。
【図１３】本発明の回り止め部材のさらに他の例を示す展開図である。
【図１４】本発明の回り止め部材のさらに他の例の使用方法を説明するための斜視図である。
【図１５】本発明の回り止め部材のさらに他の例を示す展開図である。
【図１６】本発明の回り止め部材のさらに他の例を示す展開図である。
【図１７】本発明の回り止め部材のさらに他の例の使用方法を説明するための斜視図である。
【図１８】本発明の回り止め部材のさらに他の例を示す展開図である。
【図１９】本発明の回り止め部材のさらに他の例を示す展開図である。
【図２０】本発明の回り止め部材のさらに他の例を示す展開図である。
【図２１】本発明の回り止め部材のさらに他の例の使用方法を説明するための立体図である。
【符号の説明】
【００２９】１、１’  包装用箱
４、４’  包装用箱の底面
５  包装用箱
６  包装用箱の窓
１２、１２’  本発明の回り止め部材の底面
１３、１３ａ、１３ａ’、１３ｂ、１３ｂ’、１３ｃ、１３ｄ  本発明の回り止め部材の斜面
１４、１４’、１４ａ、１４ｂ  本発明の回り止め部材の立面
１５、１５’  本発明の回り止め部材の切り欠き部
１６  本発明の回り止め部材の孔
１７、１７’  本発明の回り止め部材の切り込み
１８、１８’、１８ａ、１８ｂ  本発明の回り止め部材の山折り部
１９ａ、１９ｂ、１９ｃ、１９ｄ  本発明の回り止め部材の谷折り部
２０、２０’  本発明の回り止め部材の背面
２１、２１’  本発明の回り止め部材の谷折り部
２２  本発明の回り止め部材の小孔
２３、２３’  本発明の回り止め部材の切り込み
２４  本発明の回り止め部材の切り欠き部
２５  本発明の回り止め部材の切り欠き部
２６  本発明の回り止め部材の底面
２７、２７’  本発明の回り止め部材の背面
２８  本発明の回り止め部材の切り込み
２９ａ、２９ｂ、２９ｃ、２９ｄ  本発明の回り止め部材の谷折り部
３０、３０’  本発明の回り止め部材の切り込み
３１、３１’  本発明の回り止め部材の斜面
３２  本発明の回り止め部材の頭頂面
３３  包装用箱
収容物Ａ  カップ状の収容物
収容物Ｂ  ボトル状の収容物
Ｂ１  ボトル状の収容物の本体
Ｂ２  ボトル状の収容物のキャップ
収容物Ｃ  多角柱状の収容物
【図１】
2007297134.tif 000003
【図２】
2007297134.tif 000004
【図３】
2007297134.tif 000005
【図４】
2007297134.tif 000006
【図５】
2007297134.tif 000007
【図６】
2007297134.tif 000008
【図７】
2007297134.tif 000009
【図８】
2007297134.tif 000010
【図９】
2007297134.tif 000011
【図１０】
2007297134.tif 000012
【図１１】
2007297134.tif 000013
【図１２】
2007297134.tif 000014
【図１３】
2007297134.tif 000015
【図１４】
2007297134.tif 000016
【図１５】
2007297134.tif 000017
【図１６】
2007297134.tif 000018
【図１７】
2007297134.tif 000019
【図１８】
2007297134.tif 000020
【図１９】
2007297134.tif 000021
【図２０】
2007297134.tif 000022
【図２１】
2007297134.tif 000023